(57)【要約】【課題】コンパクトディスクの郵送の際、郵送中の破損防止、梱包の容易化、郵送料金の低廉化可能なコンパクトディスク収納ケースの提供。【解決手段】コンパクトディスク収納ケースの展開台紙１は、表台紙２、裏台紙３、コンパクトディスクを収納する収納台紙４、端部からの第1の切り込み９ａを有する第1の側片台紙７ａ、及び該第1の切り込み９ａに係合する第２の切り込み９ｂを有する第２の側片台紙７ｂを備え、表台紙２は、実質的に四角形の裏台紙３の第1の辺に位置する第1の折り曲げ部５を介して裏台紙３に隣設され、該第1の辺に対向する辺に位置する第2の折り曲げ部６を介して収納台紙4に隣設され、裏台紙３の他の二辺に位置する第３及び第４の折り曲げ部８ａ、８ｂを介して第１及び第２の側片台紙７ａ、７ｂがそれぞれ隣設される。第１及び第２の切り込み９ａ、９ｂは、コンパクトディスク収納時に、該コンパクトディスクのほぼ中心部で係合する。【選択図】図１
2008302942.tif 000002
【特許請求の範囲】
【請求項１】
それぞれの折り曲げ部を介して表台紙、裏台紙、コンパクトディスクを収納する収納台紙、第1の開放端部からの第１の切り込みを有する第１の側片台紙、及び該第１の切り込みに係合する第２の開放端部からの第２の切り込みを有する第２の側片台紙を備えるコンパクトディスク収納ケースの展開台紙であって、
前記表台紙は、実質的に四角形の前記裏台紙の第１の辺に位置する第１の折り曲げ部を介して前記裏台紙に隣設され、
該第１の辺に対向する辺に位置する第２の折り曲げ部を介して前記収納台紙が隣設され、
前記裏台紙の他の二辺に位置する第３及び第４の折り曲げ部を介して前記第１及び第２の側片台紙がそれぞれ隣設され、
前記第１及び第２の切り込みは、コンパクトディスク収納時に、該コンパクトディスクの中心部近傍で係合することを特徴とするコンパクトディスク収納ケース用の展開台紙。
【請求項２】
それぞれの折り曲げ部を介して表台紙、コンパクトディスクを収納する収納台紙、第１の開放端部からの第１の切り込みを有する第１の側片台紙、及び該第１の切り込みに係合する第２の開放端部からの第２の切り込みを有する第２の側片台紙を備え、
前記表台紙は、実質的に四角形の前記収納台紙の第１の辺に位置する第１の折り曲げ部を介して前記収納台紙に隣設され、
前記収納台紙の他の二辺に位置する第２及び第３の折り曲げ部を介して前記第１及び第２の側片台紙がそれぞれ隣設され、
前記第１及び第２の切り込みは、コンパクトディスク収納時に、該コンパクトディスクのほぼ中心部で係合するコンパクトディスク収納ケースの展開台紙。
【請求項３】
少なくとも前記第１の側片台紙または前記第２の側片台紙は、表面に凹凸があることを特徴とする請求項１または請求項２記載のコンパクトディスク収納ケース用の展開台紙。
【請求項４】
コンパクトディスク収納時に、第二種普通郵便の規格、または、第一種普通郵便の定形郵便規格のいずれかになるようにすることを特徴とする請求項１から３のいずれかに記載のコンパクトディスク収納ケース用の展開台紙。
【請求項５】
折り曲げ部を介して表台紙、裏台紙、コンパクトディスクを収納する収納台紙、第１の開放端部からの第１の切り込みを有する第１の側片台紙、及び該第１の切り込みに係合する第２の開放端部からの第２の切り込みを有する第２の側片台紙を備えるコンパクトディスク収納ケースであって、
前記収納台紙に係合されたコンパクトディスクの表及び裏にそれぞれ前記表台紙及び裏台紙が配置され、
前記第１の切り込み及び前記第２の切り込みにおいて係合された前記第１の側片台紙及び前記第２の側片台紙が、前記表台紙と前記収納台紙との間、又は、前記裏台紙と前記収納台紙との間に配置され、
前記表台紙及び前記裏台紙は、実質的に同じ形状を有することを特徴とするコンパクトディスク収納ケース。
【請求項６】
折り曲げ部を介して表台紙、コンパクトディスクを収納する収納台紙、第１の開放端部からの第１の切り込みを有する第１の側片台紙、及び該第１の切り込みに係合する第２の開放端部からの第２の切り込みを有する第２の側片台紙を備え、
前記収納台紙に係合されたコンパクトディスクの表または裏の一方へ前記表台紙が配置され、他方へ前記第１の切り込み及び前記第２の切り込みにおいて係合された前記第１の側片台紙及び前記第２の側片台紙が配置され、
前記表台紙及び前記収納台紙の外周は、実質的に同じ形状を有するコンパクトディスク収納ケース。
【請求項７】
前記収納台紙は、前記第１の切り込みへ前記第２の切り込みが係合された部分が、コンパクトディスクのほぼ中心部になるように前記コンパクトディスクを支持する手段を備えることを特徴とする請求項５または請求項６記載のコンパクトディスク収納ケース。
【発明の詳細な説明】
【技術分野】
【０００１】
本発明は、コンパクトディスクを収納し、収納された物品の破損を防止して郵送するコンパクトディスク収納ケースに関し、さらに、コンパクトディスク収納ケースのサイズを第一種普通郵便の定形郵便規格に設定し、郵便料金を定形郵便物の最小値段とするコンパクトディスク収納ケースに関する。
【背景技術】
【０００２】
従来、１２ｃｍＣＤ−ＲＯＭ（Ｃｏｍｐａｃｔ  Ｄｉｓｋ‐Ｒｅａｄ  Ｏｎｌｙ  Ｍｅｍｏｒｙ）は、郵送する場合に封書として送付していたが、ＣＤ−ＲＯＭ自体の直径が１２ｃｍで、且つ重さも２０グラム程度であるため、定形郵便物にした場合でも郵便料金は、一通当たり９０円が必要になる。このような状況において、ソフトウェアメーカーでは、販売したソフトウェアのバージョンアップの際に、その媒体であるＣＤ−ＲＯＭを多数のユーザーに送付する必要がある。そのための郵送料は莫大となっており、その費用負担は大きなものであった。
【０００３】
また、ＤＶＤ−ＲＯＭ（Ｄｉｇｉｔａｌ  Ｖｅｒｓａｔｉｌｅ−Ｄｉｓｋ  Ｒｅａｄ  Ｏｎｌｙ  Ｍｅｍｏｒｙ）が普及し、ビデオの代わりにＤＶＤ−ＲＯＭをダイレクトメールとして使用したり、８ｃｍＤＶＤ−ＲＯＭをビデオカメラ用の記憶用として使われるようになってきている。
【０００４】
ＣＤ−ＲＯＭ及びＤＶＤ−ＲＯＭを使用可能なパソコンの普及により、たとえば最近では旅先からのおみやげとして、その地域の各種情報が記録されたＣＤ−ＲＯＭが販売されることもあり、これらを贈ることが増えている。或いは、各種のイベントが催されたときの記念品として、参加者にイベント内容、メッセージ等が記録されたＣＤ−ＲＯＭを郵送することも増えている。このような場合に、郵送の梱包に手間がかかり面倒であり、郵送料もはがきを送る場合に比べ高くなっていた。
【０００５】
コンパクトディスク等の円盤型記録媒体には、現在８ｃｍ（直径）のものが販売されており、８ｃｍのコンパクトディスクを容易に収納し、安価に郵送することが要望されている。特許文献１、特許文献２には、郵便料金を定形郵便物の最小値段とする収納ケースが開示され、特に、特許文献２は、コンパクトディスク等を郵送する際に、簡単に組み立てられることを特徴としている。また、特許文献３には、郵便料金を定形郵便物の最小値段とするとともに、コンパクトディスクの収納にも利用できる８ｃｍ−ＣＤ−ＲＯＭ補完機能付き郵送用ケースが開示されている。
【特許文献１】特開平１１−３４９００２号公報
【特許文献２】特開２００６−８９０７７号公報
【特許文献３】特開平１１−３４９０８１号公報
【発明の開示】
【発明が解決しようとする課題】
【０００６】
しかしながら、従来の収納ケース（例えば、特許文献１）では、郵便局の使用している分別機の圧縮（圧縮によってかかる圧力）によって、コンパクトディスクの中央の樹脂部分にひび割れが発生するという、収納ケースの強度不足による破損事故が発生していた。また、コンパクトディスクを収納ケースの台紙の切り込みに挟み込む方式（例えば、特許文献３）では、挿入方法が難しく時間がかかり、また取り扱いによっては、コンパクトディスクを挿入する切り込み部分が破れてしまうことがあった。さらに、コンパクトディスクを郵送する機会の増加にともなって、収納ケースの製造コストを抑制や、梱包作業に要する時間の短縮、あるいは、収納ケースの再利用などの環境問題への対応、等が要望されている。
【０００７】
本発明は、このような事情に鑑みてなされたものであり、コンパクトディスクを郵送する際に、郵送中の破損を防止するコンパクトディスク収納ケースの展開台紙及びコンパクトディスク収納ケースを提供することを目的の一つとする。また、梱包が容易であること、あるいは、郵送料金を安価することを別の目的とする。
【課題を解決するための手段】
【０００８】
上記課題を解決するために、本発明にかかるコンパクトディスク収納ケースの展開台紙の一態様は、それぞれの折り曲げ部を介して表台紙、裏台紙、コンパクトディスクを収納する収納台紙、端部からの第１の切り込みを有する第１の側片台紙、及び該第１の切り込みに係合する第２の切り込みを有する第２の側片台紙を備える。前記表台紙は、実質的に四角形の前記裏台紙の第１の辺に位置する第１の折り曲げ部を介して前記裏台紙に隣設され、該第１の辺に対向する辺に位置する第２の折り曲げ部を介して前記収納台紙が隣設される。前記表台紙、前記裏台紙、並びに、前記収納台紙がそれぞれの折り曲げ部を介して連続して配置されることになる。また、前記裏台紙の他の二辺に位置する第３及び第４の折り曲げ部を介して前記第１及び第２の側片台紙がそれぞれ隣設される。前記第３及び第４の折り曲げ部は、前記第１及び第２の折り曲げ部とは垂直の関係になっている。前記第１及び第２の切り込みは、コンパクトディスク収納時に、該コンパクトディスクのほぼ中心部で係合する。第１及び第２の切り込みで係合された第１及び第２の側片台紙がコンパクトディスクの中心部付近に覆い重なることになり、コンパクトディスクの中心部付近に外部からかかる圧力を一様に分散することができる。これにより、コンパクトディスクの中心部が外部からの圧縮により破損することを防止する。また、一枚の展開台紙から組み立てる収納ケースを提供することにより、組み立て作業が容易になり、梱包作業に要する時間を抑制することができる。
【０００９】
また、本発明にかかるコンパクトディスク収納ケースの展開台紙の別の一態様は、それぞれの折り曲げ部を介して表台紙、コンパクトディスクを収納する収納台紙、端部からの第１の切り込みを有する第１の側片台紙、及び該第１の切り込みに係合する第２の切り込みを有する第２の側片台紙を備える。前記表台紙は、実質的に四角形の前記収納台紙の第１の辺に位置する第１の折り曲げ部を介して前記収納台紙に隣設され、前記収納台紙の他の二辺に位置する第２及び第３の折り曲げ部を介して前記第１及び第２の側片台紙がそれぞれ隣設される。前記表台紙、並びに、前記収納台紙が折り曲げ部を介して連続して配置されることになる。前記第１及び第２の切り込みは、コンパクトディスク収納時に、該コンパクトディスクのほぼ中心部で係合する。第１及び第２の切り込みで係合された第１及び第２の側片部がコンパクトディスクの中心部付近に覆い重なることになり、コンパクトディスクの中心部付近に外部からかかる圧力を一様に分散する。これにより、コンパクトディスクの中心部が外部からの圧縮により破損することを防止する。また、一枚の展開台紙から組み立てる収納ケースを提供することにより、組み立て作業が容易になり、梱包作業に要する時間を抑制することができる。
【００１０】
前記コンパクトディスク収納ケースの展開台紙において、各台紙は、紙、または、凹凸をつけたディンプル加工をした紙を用いて作成する。前記展開台紙を紙製とすることにより、製造コストを削減することができる。
【００１１】
前記コンパクトディスク収納ケースの展開台紙において、コンパクトディスク収納時に、第二種普通郵便の規格、または、第一種普通郵便の定形郵便規格のいずれかになるように前記展開台紙のサイズや材料を選択する。これにより、郵便費用を抑制することができる。
【００１２】
さらに、本発明のコンパクトディスク収納ケースの一態様は、折り曲げ部を介して表台紙、裏台紙、コンパクトディスクを収納する収納台紙、端部からの第１の切り込みを有する第１の側片台紙、及び該第１の切り込みに係合する第２の切り込みを有する第２の側片台紙を備える。前記コンパクトディスク収納ケースは、前記収納台紙に係合されたコンパクトディスクの表及び裏にそれぞれ前記表台紙及び裏台紙が配置され、前記第１の切り込み及び前記第２の切り込みにおいて係合された前記第１の側片台紙及び前記第２の側片台紙が、前記表台紙と前記収納台紙との間、又は、前記裏台紙と前記収納台紙との間に配置される。前記表台紙及び前記裏台紙は、実質的に同じ形状を有する。前記表台紙と前記裏台紙との間に第１及び第２の側片台紙と収納台紙とを挟みこんで前記表台紙と前記裏台紙とを折り重ねる。第１及び第２の側片台紙を前記表台紙と前記裏台紙との間に挟みこむことにより、コンパクトディスクの破損を防止することができる。
【００１３】
また、本発明のコンパクトディスク収納ケースの別の一態様は、折り曲げ部を介して表台紙、コンパクトディスクを収納する収納台紙、端部からの第１の切り込みを有する第１の側片台紙、及び該第１の切り込みに係合する第２の切り込みを有する第２の側片台紙を備える。前記コンパクトディスク収納ケースは、前記収納台紙に係合されたコンパクトディスクの表または裏の一方へ前記表台紙が配置され、他方へ前記第１の切り込み及び前記第２の切り込みにおいて係合された前記第１の側片台紙及び前記第２の側片台紙が配置される。前記表台紙及び前記収納台紙の外周は、実質的に同じ形状を有する。前記表台紙と前記裏台紙との間に第１及び第２の側片台紙と収納台紙とを挟みこんで前記表台紙と前記裏台紙とを折り重ねる。第１及び第２の側片台紙を前記表台紙と前記裏台紙との間に挟みこむことにより、コンパクトディスクの破損を防止することができる。
【００１４】
前記コンパクトディスク収納ケースにおいて、前記収納台紙は、前記第１の切り込みへ前記第２の切り込みが係合された部分が、コンパクトディスクのほぼ中心部になるように前記コンパクトディスクを支持する手段を備える。例えば、収納台紙にコンパクトディスクの径方向の二つの端部を支持してコンパクトディスクを固定する手段を有する。これにより、コンパクトディスクの中心付近の破損を防止することができる。
【発明の効果】
【００１５】
本発明によれば、コンパクトディスクを郵送する際に、郵送中の破損を防止すること、梱包が容易であること、郵送料金を安価することの少なくともいずれかを実現するコンパクトディスク収納ケースを提供することが可能となる。
【発明を実施するための最良の形態】
【００１６】
次に、本発明の実施の形態について、図面を参照しながら説明する。各図面において同一の構成または機能を有する構成要素および相当部分には、同一の符号を付し、その説明は省略する。
【００１７】
以下の実施の形態では、第一種普通郵便の定形郵便規格を適用できるコンパクトディスク収納ケースを前提として説明するため、円盤型記録媒体の一例として、８ｃｍのコンパクトディスク（ＣＤ−ＲＯＭ、ＤＶＤ−ＲＯＭを含む）を収納する場合を説明する。
【００１８】
（実施の形態１）
図１は、本発明に係る実施の形態１のコンパクトディスク収納ケースの展開台紙１の一例を示す図である。また、図２は、図１のコンパクトディスク収納ケースの展開台紙１を組み立てたコンパクトディスク収納ケースの斜視図である。図３は、図２のコンパクトディスク収納ケースを一部開けた状態を示す図である。コンパクトディスク収納ケースの展開台紙１は、所定の厚さを有するシート材から構成されており、表台紙２、裏台紙３、コンパクトディスクを収納する収納台紙４、第１の側片台紙７ａ、第２の側片台紙７ｂを備え、各台紙は、それぞれの折り曲げ部５、６、８ａ、８ｂを介して隣設されている。表台紙２は、実質的に四角形（矩形）の裏台紙３の第１の辺に位置する第１の折り曲げ部５を介して裏台紙３に隣設され、第１の辺に対向する辺に位置する第２の折り曲げ部６を介して収納台紙４が隣設され、裏台紙３の他の２辺に位置する第３及び第４の折り曲げ部８ａ、８ｂを介して第１及び第２の側片台紙７ａ、７ｂがそれぞれ隣設されている。第１の側片台紙７ａは、端部からの第１の切り込み９ａを有し、第２の側片台紙７ｂは、第１の切り込み９ａに係合する第２の切り込み９ｂを有する。収納台紙４は、コンパクトディスクの一端を挿入して固定するように切り込んだ挿入部１０ａ、１０ｂ、並びに、コンパクトディスクの径方向の他端を固定するように切り込んだ固定部１１が設けられている。
【００１９】
表台紙２、裏台紙３、並びに、収納台紙４の外周は、それぞれ矩形（四角形）の形状であり、実質的に同じ形状を有する。第１及び第２の側片台紙７ａ、７ｂは、裏台紙３の側片となる第３及び第４の折り曲げ部８ａ、８ｂの長さを底辺とする台形の形状である。台形の高さは、裏台紙３の長辺となる第１及び第２の折り曲げ部５、６の長さの半分よりも長く、長くした部分に相当する長さに第１及び第２の切り込み９ａ、９ｂが形成されている。挿入部１０ａ、１０ｂは、コンパクトディスクの直径（８ｃｍ）より短い幅の切り込み（スリット）を収納台紙４へ形成する。固定部１１は、収納台紙４へ三角形の二辺の形状の切り込みを形成し、収納台紙４から連続している三角形の他の一辺の部分へコンパクトディスクの他方の径方向端部が接触し支持される。固定部１１の形状は、三角形に限られることはなく、矩形、半円形等であってもよい。固定部１１と、収納台紙４との間にコンパクトディスクを挟み込むことができればよい。
【００２０】
また、シート材は、紙製である。紙の厚さや材質は、第二種普通郵便を適用する場合は、コンパクトディスクを収納した収納ケースの重さが６ｇ以下になるように選択し、第一種普通郵便の定形郵便規格を適用する場合は、厚さ１ｃｍ、コンパクトディスクを収納した収納ケースの重さが２５ｇ以下（若しくは５０ｇ以下）になるように選択する。
【００２１】
図４は、図１に示すコンパクトディスク収納ケースの組み立て手順の一例を示す説明図である。図４（ａ）は、収納台紙４を裏台紙３へ折り畳んだ状態を示す図であり、図４（ｂ）は、第１及び第２の側片台紙７ａ、７ｂを折り曲げるところを示す状態を示す図であり、図４（ｃ）は、第１及び第２の側片台紙７ａ、７ｂを折り曲げ、第１及び第２の切り込み９ａ、９ｂを係合した状態を示す図である。図４（ａ）に示すように、収納台紙４は、第２の折り曲げ部６で裏台紙３に対向するように折り曲げられ、裏台紙３へ重ねられる。収納台紙４の挿入部１０ａ、１０ｂへコンパクトディスクの一端を挿入するとともに、固定部１１の端部を引き上げ、固定部１１が収納台紙４から連続する部分へコンパクトディスク１２の径方向の他端を嵌め込む。固定部１１をコンパクトディスクへ重ね、固定部１１と、収納台紙４との間にコンパクトディスク１２を挟み込む。
【００２２】
次に、図４（ｂ）に示すように、第１及び第２の側片台紙７ａ、７ｂを裏台紙３へ折り畳んだ収納台紙４を覆うように、第３及び第４の折り曲げ部８ａ、８ｂでそれぞれ折り曲げ、図４（ｃ）に示すように、側片台紙７ａ、７ｂに形成された切り込み９ａ、９ｂを相互に挟み込み、収納台紙４を覆うように重ねる。図５にコンパクトディスク収納ケースの第１の側片台紙７ａの第１の切り込み９ａへ第２の側片台紙７ｂの第２の切り込み９ｂを係合させた状態を示している（部分図）。従って、第１及び第２の切り込み９ａ、９ｂの切り込みの長さは、少なくとも第１及び第２の側片台紙７ａ、７ｂが重なる部分の長さが必要であり、第１及び第２の切り込み９ａ、９ｂを相互に挟み込ませて収納台紙４を覆うようにする。ここで、第１及び第２の側片台紙７ａ、７ｂが台形の形状であることより、収納台紙４の一部分は、第１及び第２の側片台紙７ａ、７ｂに覆われることなく露出している。次に、表台紙２を折り曲げ部５で折り曲げ、第１及び第２の側片台紙７ａ、７ｂに重ね、表台紙２と収納台紙４とを接着剤や接着テープなどの接着手段により接着して、図２に示すコンパクトディスク収納ケースを完成させる。
【００２３】
なお、図４では、裏台紙３へ収納台紙４を折り畳んだ後、第１及び第２の側片台紙７ａ、７ｂを係合して収納台紙４へ折り重ねる手順を説明したが、まず、第１の切り込み及９ａ及び第２の切り込み９ｂにおいて係合して第１及び第２の側片台紙７ａ、７ｂを裏台紙３へ折り重ね、さらに、コンパクトディスク１２を挟み込んだ収納台紙４を第１及び第２の側片台紙７ａ、７ｂへ折り畳んでもよい。
【００２４】
従って、本実施の形態のコンパクトディスク収納ケースは、収納台紙４に係合されたコンパクトディスク１２の表及び裏にそれぞれ表台紙２及び裏台紙３が配置され、第１の切り込み及９ａ及び第２の切り込み９ｂにおいて係合された第１の側片台紙７ａ及び第２の側片台紙７ｂが、表台紙２と収納台紙４との間、又は、裏台紙３と収納台紙４との間に配置され、第１及び第２の切り込み９ａ、９ｂは、コンパクトディスク収納時に、コンパクトディスク１２のほぼ中心部９８で係合している。
【００２５】
第１及び第２の側片台紙７ａ、７ｂの端部の第１及び第２の切り込み９ａ、９ｂがコンパクトディスクの中心部で係合するように、挿入部１０ａ、１０ｂと固定部１１の配置を決めることにより、コンパクトディスクの中心部を保護することが可能になり、破損を防止することができる。また、さらに、表台紙２、裏台紙３、収納台紙４の外周の形状を実質的に同じにすることにより、外部からの圧力を均等に分散することが可能になる。
【００２６】
また、コンパクトディスク収納ケースのサイズ及び重さを、第二種普通郵便になるように設定することにより、郵送料金を５０円にすることが可能になる。コンパクトディスク収納ケースのサイズを、第一種普通郵便の定形郵便規格（幅９ｃｍ以上１２ｃｍ以下、長さ１４ｃｍ以上２３．５ｃｍ以下、厚さ１ｃｍ以下）になるように設定することにより、重量が２５ｇ以下では８０円、５０ｇ以下では９０円の郵便料金とすることができるため、郵送費用の削減を図ることが可能になる。
【００２７】
このように、本実施の形態のコンパクトディスク収納ケースは、第１及び第２の側片台紙７ａ、７ｂを有し、第１及び第２の側片台紙７ａ、７ｂがコンパクトディスク１２の中心部で重なり合うことにより、コンパクトディスク１２の中心部へかかる圧力をコンパクトディスク収納ケース全体へ分散させることができる。これにより、郵便局の使用している分別機の圧縮により発生するコンパクトディスクのセンター樹脂部分ひび割れを防止することが可能となり、コンパクトディスク１２を破損させることなく安全に郵送することができる。
【００２８】
また、コンパクトディスク収納ケースのサイズを第二種普通郵便または第一種普通郵便の定形郵便規格に設定することにより、郵送料金を最小料金にすることが可能となり、郵送費用を抑制することができる。
【００２９】
さらに、収納台紙４に形成する挿入部１０ａ、１０ｂを、コンパクトディスク１２を挿入しやすい形状にし、固定部１１を、挿入部１０ａ、１０ｂへ挿入したコンパクトディスクを嵌め込みやすい形状にすること、並びに、コンパクトディスク収納ケースを一枚の紙から組み立てられるようにしたことにより、コンパクトディスク１２を収納するケースの作成を容易にし、梱包作業に要する時間を削減することが可能となり、人件費を抑制することができる。加えて、コンパクトディスク収納ケースをすべて紙で製造することにより、製造コストを抑制するとともに、紙のリサイクルを可能にして環境にも配慮した製品とすることができる。
【００３０】
なお、上記実施の形態では、第１及び第２の側片台紙７ａ、７ｂに第１及び第２の切り込み９ａ、９ｂを有する場合を説明したが、第１及び第２の切り込み９ａ、９ｂを設けず、第１及び第２の側片台紙７ａ、７ｂを、単に重ね合わせるようにしてもよい。この場合、第１及び第２の側片台紙７ａ、７ｂが開放するのを防ぐため、重ね合わせた部分を接着してもよい。
【００３１】
また、上記実施の形態では、第１及び第２の側片台紙７ａ、７ｂは、台形状である場合を説明したが、これに限られることはない。例えば、楕円形の一部分の形状、矩形等であってもよい。コンパクトディスク１２の中心部に第１及び第２の側片台紙７ａ、７ｂが重なるような形状であればかまわない。
【００３２】
（実施の形態２）
図６は、本発明に係る実施の形態１のコンパクトディスク収納ケースの展開台紙２１の一例を示す図である。また、図７は、図１のコンパクトディスク収納ケースの展開台紙２１を組み立てたコンパクトディスク収納ケースの裏側の斜視図を示す図である。コンパクトディスク収納ケースの展開台紙２１は、所定の厚さを有するシート材から構成されており、表台紙２、コンパクトディスクを収納する収納台紙４、第１の側片台紙７ａ、第２の側片台紙７ｂを備え、各台紙は、それぞれの折り曲げ部２２、２３ａ、２３ｂを介して隣設されている。表台紙２は、実質的に４角形（矩形）の収納台紙４の第１の辺に位置する第１の折り曲げ部２２を介して収納台紙４に隣設され、収納台紙３の他の２辺に位置する第２及び第３の折り曲げ部２３ａ、２３ｂを介して第１及び第２の側片台紙７ａ、７ｂがそれぞれ隣設されている。第１の側片台紙７ａは、端部からの第１の切り込み９ａを有し、第２の側片台紙７ｂは、第１の切り込み９ａに係合する第２の切り込み９ｂを有する。収納台紙４は、コンパクトディスクの一端を挿入して固定するように切り込んだ挿入部１０ａ、１０ｂ、並びに、コンパクトディスクの径方向の他端を固定するように切り込んだ固定部１１が設けられている。
【００３３】
表台紙２、収納台紙４の外周は、それぞれ矩形（四角形）の形状であり、実質的に同じ形状を有する。第１及び第２の側片台紙７ａ、７ｂは、収納台紙４の側片となる第２及び第３の折り曲げ部２３ａ、２３ｂの長さを底辺とする台形の形状である。台形の高さは、図１と同様である。また、挿入部１０ａ、１０ｂ、固定部１１、並びに、シート材の材質についても図１と同様であるため説明を省略する。図７に示すように、本実施の形態の収納ケースは、裏側は、第１及び第２の切り込みが係合された第１及び第２の側片台紙７ａ、７ｂが収納台紙４へ折り重ねられた状態になり、表側は、図２に示す外形と同様となる。
【００３４】
図６に示すコンパクトディスク収納ケースの展開台紙２１は、次のようにして組み立てられる。収納台紙４は、第１の折り曲げ部５で表台紙２に対向するように折り曲げられ、表台紙２へ重ねられる。収納台紙４の挿入部１０ａ、１０ｂへコンパクトディスクの一端を挿入するとともに、固定部１１の端部を引き上げ、固定部１１が収納台紙４から連続する部分へコンパクトディスク１２の径方向の他端を嵌め込む。固定部１１をコンパクトディスクへ重ね、固定部１１と、収納台紙４との間にコンパクトディスク１２を挟み込む。
【００３５】
次に、第１及び第２の側片台紙７ａ、７ｂを、コンパクトディスク１２をはめ込んだ収納台紙４を覆うように、第２及び第３の折り曲げ部２３ａ、２３ｂでそれぞれ折り曲げ、側片台紙７ａ、７ｂに形成された切り込み９ａ、９ｂを相互に挟み込み、収納台紙４を覆うように重ねる。表台紙２と収納台紙４と、第１及び第２の側片台紙７ａ、７ｂと収納台紙４とを接着手段により接着して、図７に示すコンパクトディスク収納ケースを完成させる。第１及び第２の側片台紙７ａ、７ｂも端部が剥がれないように接着する。
【００３６】
従って、本実施の形態のコンパクトディスク収納ケースは、収納台紙４に係合されたコンパクトディスクの表または裏の一方へ表台紙２が配置され、他方へ第１の切り込み及９ａ及び第２の切り込み９ｂにおいて係合された第１の側片台紙７ａ及び第２の側片台紙７ｂが配置され、第１及び第２の切り込み９ａ、９ｂは、コンパクトディスク収納時に、該コンパクトディスク１２のほぼ中心部で係合する。
【００３７】
本実施の形態においても、第１及び第２の側片台紙７ａ、７ｂの端部の第１及び第２の切り込み９ａ、９ｂがコンパクトディスクの中心部で係合するように、挿入部１０ａ、１０ｂと固定部１１の配置を決めることにより、コンパクトディスクの中心部を保護することが可能になり、破損を防止することができる。また、実施の形態１と同様に、郵送費用の削減を図ることが可能になる。
【００３８】
このように、本実施の形態のコンパクトディスク収納ケースは、実施の形態１のコンパクト収納ケースと同様に、コンパクトディスク１２の破損を防止するとともに、郵便費用の削減、人件費を抑制、製造コストの削減、並びに、環境に配慮した製品の製造を可能にする。さらに、実施の形態１に比べ、裏台紙３を必要としないことにより、収納ケースに必要となるシート材の量を削減することができる。これにより、コンパクトディスク収納ケースの展開台紙の面積が削減されるため、本実施の形態のコンパクトディスク収納ケースの展開台紙２１は、同じ材質であっても実施の形態１のコンパクトディスク収納ケースの展開台紙１より軽くなり、シート材に用いる紙の材質の選択が多様になる。
【００３９】
（実施の形態３）
図８は、本発明に係る実施の形態２の側片台紙にディンプル加工を施したコンパクトディスク収納ケース３１の一例を示す図である。ディンプル加工では、表面上凹部１０３が作られているが、下側から見れば、突出している凸部に相当する。図９は、ディンプル加工を施した紙１００の拡大図である。図９に示すように、適当な間隔で紙へ凹凸（図面において上から見たときの凸部１０２は、その下側から見れば凹部）を形成したものである。紙へディンプル加工を施すことにより、図８では、側片台紙３２ａ、３２ｂへディンプル加工が施されている。側片台紙３１ａ、３１ｂへディンプル加工を施すことにより、外部からの圧縮に対して、圧力を吸収する役割を果たすため、外部からの圧縮に対する強度を高める。図８では、図１に示すコンパクト収納ケースの展開台紙１の側片台紙７ａ、７ｂへディンプル加工を施した例を示しているが、図６に示すコンパクト収納ケースの展開台紙２１の側片台紙７ａ、７ｂへディンプル加工を施すことも可能であり、さらに、その他の台紙へディンプル加工を施してもよい。特にコンパクトディスク１２に面する側に、凸部１０２が配置されることがより好ましい。凹凸は、例えば、図８や９に示すように、平面視で円形を呈するものが複数配置されるのが好ましい。この円形は、全て均一の大きさのものであってもよく、大きさの異なるものが２種類以上混ざっていてもよい。また、台紙の幅及び／又は長さとの関係で、これらの１／２以下、１／３以下、１／４以下、１／５以下、１／６以下等のように設定することもできる。例えば、円形は直径１ｍｍ以上であってよい。また、４０ｍｍ以下であってよい。また、凹凸の高低差（ディンプル加工した紙の最大厚みに相当するもの）は、ディンプル加工を行わない紙の厚さよりも大きくなる。この高低差は、例えば、０．１ｍｍ以上、より好ましくは、０．５ｍｍ以上であってよく、１０ｍｍ以下であってよい。これらの形状については、クッションとして機能するように大きさ、配置、高低差等を設定してよい。
【００４０】
（実施の形態４）
図１０は、側片台紙を備えていないコンパクトディスク収納ケース４１の一例を示す図である。図１に示すコンパクトディスク収納ケースの展開台紙１から側片台紙７ａ、７ｂを除いたコンパクトディスク収納ケースの展開台紙から作成することができる。図１０に示すコンパクトディスク収納ケース４１は、特許文献３に開示されている８ｃｍＣＤ−ＲＯＭ保管機能付き郵送ケースに比べ、コンパクトディスク１２の収納が容易になっている。また、コンパクトディスク１２の中心部付近に収納台紙の切り込みを形成すると、切り込みとコンパクトディスクとの段差に外部からの圧力がかかりやすくなり、コンパクトディスク１２の中心部９８の破損を冗長していた。しかしながら、コンパクトディスク１２の端部へ挿入部１０ａ、１０ｂ、固定部１１を形成することにより、中心部付近にかかる圧力を一様に分散することができる。さらに、表台紙２、裏台紙３、収納台紙４の外周の形状を実質的に同じにすることにより、収納台紙４の大きさを表台紙２、裏台紙３より小さくする場合に比べ、外部からの圧力を均等に分散することが可能になる。
【００４１】
なお、上記各実施の形態では、８ｃｍのコンパクトディスクを円盤型記録媒体の一例として説明した。しかしながら、１２ｃｍ或いはより大きな円盤型記録媒体を収納するコンパクトディスク収納ケースに適用することも可能であり、郵便料金の削減を除いて、上記各実施の形態と同様の効果を得ることができる。
【図面の簡単な説明】
【００４２】
【図１】本発明に係る実施の形態１のコンパクトディスク収納ケースの展開台紙の一例の平面図を示す図である。
【図２】図１の展開図を組み立てたコンパクトディスク収納ケースの斜視図を示す図である。
【図３】図２のコンパクトディスク収納ケースを一部開けた状態を示す斜視図である。
【図４】コンパクトディスク収納ケースの組み立て手順の一例を示す説明図である。
【図５】コンパクトディスク収納ケースの第１の側片台紙の第１の切り込みへ第２の側片台紙の第２の切り込みを係合させた状態を示す部分斜視図である。
【図６】本発明に係る実施の形態２のコンパクトディスク収納ケースの展開台紙の一例の平面図を示す図である。
【図７】図６の展開図を組み立てたコンパクトディスク収納ケースの裏側の斜視図である。
【図８】本発明に係る実施の形態２の側片台紙にディンプル加工を施したコンパクトディスク収納ケースの一例を示す斜視図である。
【図９】ディンプル加工を施した紙の拡大斜視図である。
【図１０】側片台紙を備えていないコンパクトディスク収納ケースの組立例を示す斜視図である。
【符号の説明】
【００４３】
１、２１  コンパクトディスク収納ケースの展開台紙
２  表台紙
３  裏台紙
４  収納台紙
５、６、８ａ、８ｂ、１３、１４ａ、１４ｂ、２２、２３ａ、２３ｂ  折り曲げ部
７ａ、７ｂ、３２ａ、３２ｂ  側片台紙
９ａ、９ｂ  切り込み
１０ａ、１０ｂ  挿入部
１１  固定部
３１  コンパクトディスク収納ケース
【図１】
2008302942.tif 000003
【図２】
2008302942.tif 000004
【図３】
2008302942.tif 000005
【図４】
2008302942.tif 000006
【図５】
2008302942.tif 000007
【図６】
2008302942.tif 000008
【図７】
2008302942.tif 000009
【図８】
2008302942.tif 000010
【図９】
2008302942.tif 000011
【図１０】
2008302942.tif 000012